(57)【要約】【課題】人感センサユニットの感知方向及び光源ユニットの照明方向を容易かつ任意に設定・変更することができる照明装置を提供する。【解決手段】本発明は、被取り付け面に固定可能な照明装置であって、被取り付け面に固定される筐体と、筐体に回動自在に取り付けられる人感センサユニットと、筐体に回動自在に取り付けられる第１の回動部と、第１の回動部とは回動方向が異なるように前記筐体に回動自在に取り付けられる第２の回動部と、を有する回動ユニットと、回動ユニットを介して筐体に取り付けられ、人感センサユニットにより送られた信号により点灯する発光素子が実装された光源ユニットと、を備える。【選択図】図１
2016181455.tif 000002
【特許請求の範囲】
【請求項１】
被取り付け面に固定可能な照明装置であって、
前記被取り付け面に固定される筐体と、
前記筐体に回動自在に取り付けられる人感センサユニットと、
前記筐体に回動自在に取り付けられる第１の回動部と、前記第１の回動部とは回動方向が異なるように前記筐体に回動自在に取り付けられる第２の回動部と、を有する回動ユニットと、
前記回動ユニットを介して前記筐体に取り付けられ、前記人感センサユニットにより送られた信号により点灯する発光素子が実装された光源ユニットと、
を備えることを特徴とする照明装置。
【請求項２】
前記人感センサユニットは、
鉛直面に対し所定取り付け角度で取り付けられた人感センサ部と、前記人感センサ部を覆うカバー部と、を有するとともに、前記人感センサ部と前記カバー部とが前記筐体に対して一体的に回動するように構成され、
前記光源ユニットの鉛直面に対する回動可能角度は、前記人感センサ部の所定取り付け角度よりも小さい
ことを特徴とする請求項１に記載の照明装置。
【請求項３】
前記第１の回動部は、鉛直方向に沿う回動軸線により同一平面内で前記光源ユニットを回動させ、
前記第２の回動部は、前記第１の回動部の回動軸線と直行する回動軸線により揺動方向に前記光源ユニットを回動させる
ことを特徴とする請求項１又は請求項２に記載の照明装置。
【請求項４】
前記人感センサユニットと前記光源ユニットとは、
前記光源ユニットのほうが前記人感センサユニットよりも前記被取り付け面から離れて配置され、かつ、前記光源ユニットよりも前記人感センサユニットのほうが低位置にある
ことを特徴とする請求項２又は請求項３に記載の照明装置。
【請求項５】
前記筐体は、
前記人感センサユニットの上部に、前記光源ユニットに電力を供給する電池を収容する電池収容部を備える
ことを特徴とする請求項４に記載の照明装置。
【請求項６】
前記筐体は、
前記光源ユニットに電力を供給する電池を収容する電池収容部と、
前記電池収容部を外側から覆うとともに、前記電池収容部の内部方向に突出しかつ外側表面において窪んだ褶曲部と、
を有することを特徴とする請求項１乃至請求項５の何れか１の請求項に記載の照明装置。
【請求項７】
前記電池収容部は、
前記褶曲部を有するバッテリカバーにより開閉可能とされ、
前記褶曲部の外側表面において窪んだ部分を前記バッテリカバーの開閉操作用の摘み部とし、前記褶曲部の内部方向に突出した部分を前記電池を押さえる押え部としている
ことを特徴とする請求項６に記載の照明装置。
【請求項８】
前記人感センサユニットは、
前記人感センサ部を外側から覆うカバー部に、外表面から突出する突出部を備える
ことを特徴とする請求項１乃至請求項７の何れか１の請求項に記載の照明装置。
【請求項９】
前記突出部は、前記人感センサユニットの感知方向の中心軸と直行する外表面の２か所に設けられている
ことを特徴とする請求項８に記載の照明装置。
【請求項１０】
前記筐体は、
前記回動ユニットの外側に形成されて内圧を調整する貫通孔と、
前記筐体の内面側において前記貫通孔を塞ぐように気体を透過しかつ液体を透過させない閉塞部材と、
を備えることを特徴とする請求項１乃至請求項９の何れか１の請求項に記載の照明装置。
【発明の詳細な説明】
【技術分野】
【０００１】
本発明は、照明光源に発光素子を用いた照明装置に関する。
【背景技術】
【０００２】
従来から、照明光源に発光素子を用いるとともに、人感センサの検出により発光素子を点灯させるように構成した照明装置が知られている（例えば、特許文献１参照）。
【０００３】
特許文献１に開示の照明装置は、レーザービーム状の照明光束の照射角度を可変としており、所望のエリアをターゲット光として照明するように構成している。
【先行技術文献】
【特許文献】
【０００４】
【特許文献１】特開２０１４−１５６７３９号公報
【発明の概要】
【発明が解決しようとする課題】
【０００５】
このような人感センサを用いて発光素子を点灯させるようにした照明装置にあっては、例えば、玄関先であっても、玄関先スペースの広狭問題だけでなく、ドアノブやキーの位置、ドアの開閉方向等のさまざまな条件によって設置場所が異なってしまう場合がある。
【０００６】
したがって、人感センサを用いた照明装置にあっては、人感センサユニットの感知方向や発光素子の照明方向は、設置場所に応じて任意に設定・変更可能であることが好ましい。
【０００７】
そこで、本発明は、人感センサユニットの感知方向及び光源ユニットの照明方向を容易かつ任意に設定・変更することができる照明装置を提供することを目的とする。
【課題を解決するための手段】
【０００８】
上記課題を解決するため、本発明の照明装置は、被取り付け面に固定可能な照明装置であって、被取り付け面に固定される筐体と、筐体に回動自在に取り付けられる人感センサユニットと、筐体に回動自在に取り付けられる第１の回動部と、第１の回動部とは回動方向が異なるように筐体に回動自在に取り付けられる第２の回動部と、を有する回動ユニットと、回動ユニットを介して筐体に取り付けられ、センサユニットにより送られた信号により点灯する発光素子が実装された光源ユニットと、を備えるものである。
【発明の効果】
【０００９】
本発明の照明装置は、人感センサユニットの感知方向や光源ユニットの照明方向を容易かつ任意に設定・変更することができる。
【図面の簡単な説明】
【００１０】
【図１】本発明の一実施形態に係る照明装置の断面図である。
【図２】本発明の一実施形態に係る照明装置の正面図である。
【図３】本発明の一実施形態に係る照明装置の背面図である。
【図４】本発明の一実施形態に係る照明装置の平面図である。
【図５】本発明の一実施形態に係る照明装置の底面図である。
【図６】本発明の一実施形態に係る照明装置の右側面図である。
【図７】本発明の一実施形態に係る照明装置の左側面図である。
【図８】本発明の一実施形態に係る照明装置の正面上側から見た斜視図である。
【図９】本発明の一実施形態に係る照明装置の背面上側から見た斜視図である。
【図１０】本発明の一実施形態に係る照明装置の正面下側から見た斜視図である。
【図１１】本発明の一実施形態に係る照明装置の背面下側から見た斜視図である。
【図１２】本発明の一実施形態に係る照明装置に適用される支持ホルダの側面図である。
【図１３】本発明の一実施形態に係る照明装置に適用されるバッテリカバーの内側から見た斜視図である。
【図１４】本発明の一実施形態に係る照明装置に適用されるバッテリカバーの外側から見た斜視図である。
【図１５】本発明の一実施形態に係る照明装置に適用されるバッテリカバーの平面図である。
【図１６】本発明の一実施形態に係る照明装置における作用説明図である。
【発明を実施するための形態】
【００１１】
次に、本発明の一実施形態に係る照明装置について、図面を参照して説明する。なお、以下に示す実施形態は、本発明の照明装置における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組み合せを含むさまざまなバリエーションが可能である。したがって、以下に示す実施形態の記載をもって、特許請求の範囲に記載された発明の内容を限定するものではない。
【００１２】
本実施形態に係る照明装置１は、例えば、玄関先の縦壁を被取り付け面（以下、単に「壁面」と称する）Ｈとして設置しており、壁面Ｈに固定ブラケット２を介して着脱可能に固定した筐体３を有する。
【００１３】
なお、以下の説明においては、壁面Ｈに固定して壁面Ｈから離れる方向を前方、天地を上下として説明する。また、図面の各斜視図において、上下左右前後の方向を示す。また、必要に応じて、前後方向を奥行き方向、左右方向を幅方向、上下方向を高さ方向、と称する場合もある。
【００１４】
固定ブラケット２は、筐体３の下面から片持ちの舌片２ａを突出させており、筐体３を上下方向にスライド可能に支持する。固定ブラケット２の背面には、壁面Ｈへの固定や筐体３の落下防止等のための所定の取り付け部材４を設けている。
【００１５】
筐体３は、合成樹脂成型又は金属プレートのプレスによって所定形状に加工されており、防水その他の塗装・装飾処理等を施すことができる。筐体３は、上下左右前方の各面を有するとともに後方を開放している。筐体３の前後方向の中途部には、左右の幅方向の全幅に跨り、下方に向けて突出する隔壁３ａを一体に有する。筐体３は、隔壁３ａよりも後方に人感センサユニット１０を設け、筐体３の隔壁３ａよりも前方に回動ユニット２０を介して２軸方向に回動可能な光源ユニット３０を設け、筐体３の隔壁３ａよりも後方かつ人感センサユニット１０の上方に電源ユニット４０を設けている。
【００１６】
人感センサユニット１０は、アッパカバー１１と、ロアカバー１２と、ドーム状のセンサカバー１３と、赤外線人体検知センサ（検知範囲略９０°）等の人感センサ部１４と、パッキン１５と、を有する。
【００１７】
アッパカバー１１は、下方を開放するとともに人感センサ部１４の感知中心軸Ｑ１を鉛直軸（鉛直面）に対して所定角度（例えば、４５°）傾けた状態で保持する保持爪１１ａ，１１ｂを一体に有している。
【００１８】
ロアカバー１２は、略円筒形状に形成しており、その外側においてアッパカバー１１を支持し、内側においてカバー部としてのセンサカバー１３を支持している。
【００１９】
センサカバー１３は、略半球状（ドーム状）の先端部分を筐体３の下面に形成した突出穴３ｂから突出させている。センサカバー１３は、アッパカバー１１に接着等により固定しているとともに、ロアカバー１２に対して鉛直方向に沿う回動軸線Ｑ２を中心として回動可能となっている。ロアカバー１２及びセンサカバー１３には、水平面又は垂直面で互いに係合し合う凹凸（図示せず）を周回状に多数形成しており、センサカバー１３を同一平面上で段階的（例えば、５°単位）に回動角度を変更できる。この際、人感センサ部１４は、センサカバー１３とアッパカバー１１とを固定することにより、センサカバー１３の回動に連動してセンサ感知方向を変更することができる。なお、回動軸線Ｑ２に対する感知中心軸Ｑ１の傾斜角度は固定である。センサカバー１３は、筐体３から突出した先端部分の外壁面に、感知中心軸Ｑ１と直行する方向に突出する一対の突出部１３ａを一体に備える。これにより、人感センサ部１４の感知方向を容易に変更することができるとともに、およその感知方向を目視及び手先の感覚で容易に調整することができる。また、突出部１３ａを人感センサ部１４の感知エリアから外れた位置に設けてもよい。さらに、感知中心軸Ｑ１と直行しかつセンサカバー１３の半球状の頂点を含む面内付近の外郭から、当該半球状の中心を基準として放射状に立ち上がるように突出させてもよい。これにより、人感センサ部１４の感知に邪魔となりずらい。なお、センサカバー１３の前面側に人感センサ部１４が前向きであることを認識させる凸部１３ｂを設けてもよい。
【００２０】
回動ユニット２０は、筐体３の下面開放端を塞ぐように筐体３に固定した固定ホルダ２１と、光源ユニット３０を２軸方向で支持する支持ホルダ２２と、支持ホルダ２２を固定ホルダ２１に支持させる押えバネ２３と、を有する。
【００２１】
固定ホルダ２１は、高さ方向に厚みを有するとともに光源ユニット３０の回動範囲を規制する壁面２１ａを有する。
【００２２】
支持ホルダ２２は、押えバネ２３の付勢により接触し合う水平面に、互いに係合し合う凹凸（図示せず）を周回状に多数形成しており、鉛直方向に沿う回動軸線Ｑ３を中心として支持ホルダ２２を同一平面上で段階的（例えば、５°単位）に回動角度を変更できる。支持ホルダ２２には、図１２に示すように、光源ユニット３０を回動軸線Ｑ４で回動可能に支持する一対のフランジ２２ａを有する。
【００２３】
なお、固定ホルダ２１と支持ホルダ２２との回動軸線Ｑ３を中心とする回動のための構成は特許請求の範囲の第１の回動部を構成する。また、支持ホルダ２２のフランジ２２ａによる光源ユニット３０を回動軸線Ｑ４で回動可能に支持する構成は特許請求の範囲の第２の回動部を構成する。
【００２４】
この際、固定ホルダ２１の壁面２１ａは、光源ユニット３０とう当接することにより回動軸線Ｑ４を中心とする光源ユニット３０の回動範囲を規制する。本実施の形態においては、回動軸線Ｑ４を中心とする光源ユニット３０の回動範囲は、鉛直面に対する回動可能角度として、人感センサ部１４の所定取り付け角度（例えば、４５°）よりも小さい範囲としている。
【００２５】
光源ユニット３０は、略有底円筒形状のホルダ３１と、ホルダ３１の開放端を閉成するキャップ３２と、漏斗状のリフレクタ３３と、ＬＥＤ素子等の単数又は複数の発光素子３４を有する光源本体３５と、を有する。
【００２６】
ホルダ３１の底部には、配線コードを導出可能とするシールパッキン３６を設けている。また、ホルダ３１には、内圧（灯室）を調整する呼吸穴３１ａを形成している。ホルダ３１の外壁には、光源本体３５の発光面付近に回動軸線Ｑ４が位置するように、支持ホルダ２２のフランジ２２ａと係合する回動軸３７を一体に形成している。回動軸３７の外表面には、支持ホルダ２２のフランジ２２ｂに設けた突起（図示せず）と係合することにより光源ユニット３０の回動角度を規定する凹部（図示せず）等が形成されている。なお、呼吸穴３１ａには、ホルダ３１の外面側（筐体３の内側）において呼吸穴３１ａを塞ぐように気体を透過しかつ液体を透過させない閉塞部材（例えば、ゴアテックス）５を設けている。これにより、光源ユニット３０の点灯に伴う発熱空気をホルダ３１とキャップ３２とで形成した灯室の内圧を調整しつつ、雨水等の浸入を抑制する。
【００２７】
キャップ３２は、無色又は有色透明なカバー３８を一体に有する。キャップ３２は、ホルダ３１に着脱可能に嵌め合っている。
【００２８】
リフレクタ３３は下方に向けて拡開しており、光源本体３５の発光素子３４の点灯に伴う照明光束を拡散させる。なお、リフレクタ３３には、吸熱性を有する金属を用い、反射膜等を蒸着（塗着）してもよい。
【００２９】
光源本体３５は、基板Ｃに単数又は複数の発光素子３４を配置しており、レンズ３９により照明光束を拡散照射させる。
【００３０】
電源ユニット４０は、人感センサユニット１０の上方に確保した空間の一部に電池収容部４１を形成するよう、例えば、複数の単２型の電池４２を収容する電池ホルダ４３を有する。
【００３１】
電池ホルダ４３は、ネジ等によって筐体３の隔壁３ａに固定しており、外側からバッテリカバー４４により開閉可能となっている。電池ホルダ４３は、照明装置１の全体の制御回路を含む回路基板４５を固定している。電池ホルダ４３の外表面側には、固定ブラケット２の舌片２ａの近傍において固定ブラケット２に形成した係合爪２ｂと係合する係合凹部４３ａを形成している。
【００３２】
バッテリカバー４４は、図１３〜図１５に示すように、電池収容部４１の内部方向に突出しかつ外側表面において窪んだ褶曲部４６を一体に有する。褶曲部４６は、外側表面において窪んだ部分をバッテリカバー４４の開閉操作用の摘み部とし、褶曲部４６の内部方向に突出した部分を電池４２を押さえる押え部として機能する。
【００３３】
次に、図１６に基づいて、本実施形態に係る照明装置１の作用（使用例）を説明する。
【００３４】
照明装置１は、家屋の玄関先等の壁面Ｈに固定される。この際、例えば、照明装置１の設置高さＨ１を、人感センサ部１４を基準として２００ｃｍとし、光源ユニット３０の照射方向を光軸中心として３０°だけ前方下向きに傾けた場合で説明する。
【００３５】
この際の光源ユニット３０の照射エリアは、光軸を中心として４０°（片側２０°）となっているため、最大前方照明距離（壁面Ｈから地表面まで）Ｄ１は、帰宅者や訪問者等の人Ｐの足元手前の２３８ｃｍとなる。
【００３６】
ここで、接近してくる（歩いてくる）人Ｐの身長Ｈ２が１７０ｃｍであった場合、手の甲までの地上高Ｈ３は約８０ｃｍとなる。
【００３７】
したがって、人感センサユニット１０の感知エリアを９０°とした場合、光源ユニット３０と同じ前方とすれば、接近してくる（歩いてくる）人Ｐの手の甲を感知したときの、壁面Ｈからの感知距離Ｄ２は、最大前方照明距離Ｄ１よりも遠い２７５ｃｍとすることができる。
【００３８】
また、照明範囲の４０°とし、照明方向を３０°で傾けた場合、玄関先に置いた奥行きＤ３が３５ｃｍ、高さＨ４が５０ｃｍのごみ箱５０を照明してしまうことを抑制することができる。
【００３９】
このように、人感センサユニット１０の感知方向と光源ユニット３０の照明方向とを任意に変更・設定することができれば、壁面Ｈに対する取り付け位置に応じた人感機能及び照明機能を確保することができる。
【００４０】
このように、本実施形態の照明装置１は、壁面Ｈに固定される筐体３と、筐体３に回動自在に取り付けられる人感センサユニット１０と、筐体３に回動自在に取り付けられる第１の回動部と、第１の回動部とは回動方向が異なるように筐体３に回動自在に取り付けられる第２の回動部と、を有する回動ユニット２０と、回動ユニット２０を介して筐体３に取り付けられ、人感センサユニット１０により送られた信号により点灯する発光素子３４が実装された光源ユニット３０と、を備える。
【００４１】
これにより、人感センサユニット１０の感知方向及び光源ユニット３０の照明方向を容易かつ任意に設定・変更することができる。
【００４２】
また、人感センサユニット１０は、鉛直面に対し所定取り付け角度で取り付けられた人感センサ部１４と、人感センサ部１４を覆うセンサカバー１３と、を有するとともに、人感センサ部１４とセンサカバー１３とが筐体３に対して一体的に回動するように構成され、光源ユニット３０の鉛直面に対する回動可能角度は、人感センサ部１４の所定取り付け角度よりも小さくしている。
【００４３】
これにより、人感センサ部１４の感知範囲を広く確保し、光源ユニット３０の点灯による照明の必要範囲をスポット的に狭くしても、良好な視界を確保するとともに、例えば、近隣等への配慮をすることもできる。
【００４４】
さらに、第１の回動部は、鉛直方向に沿う回動軸線Ｑ３により同一平面内で光源ユニット３０を回動させ、第２の回動部は、第１の回動部の回動軸線Ｑ３と直行する回動軸線Ｑ４により揺動方向に光源ユニット３０を回動させることにより、光源ユニット３０の照明方向を容易に調整することができる。
【００４５】
また、人感センサユニット１０と光源ユニット３０とは、光源ユニット３０の照明方向と人感センサユニット１０の感知方向とを同一の斜め前方下向きにとしたときに、人感センサユニット１０よりも光源ユニット３０を人感センサユニット１０の感知方向の前方側に配置し、かつ、光源ユニット３０よりも人感センサユニット１０を低位置とすることにより、光源ユニット３０の照明方向を変更しても人感センサユニット１０による感知が邪魔されることがない。また、光源ユニット３０よりも小さい人感センサユニット１０の上方に電池４２を収容する空間を容易に確保することができ、装置全体の小型化に貢献することができる。
【符号の説明】
【００４６】
Ｈ…被取り付け面
３…筐体
１０…人感センサユニット
２０…回動ユニット
３０…光源ユニット
Ｑ３…回動軸線（第１の回動部）
Ｑ４…回動軸線（第２の回動部）
【図１】
2016181455.tif 000003
【図２】
2016181455.tif 000004
【図３】
2016181455.tif 000005
【図４】
2016181455.tif 000006
【図５】
2016181455.tif 000007
【図６】
2016181455.tif 000008
【図７】
2016181455.tif 000009
【図８】
2016181455.tif 000010
【図９】
2016181455.tif 000011
【図１０】
2016181455.tif 000012
【図１１】
2016181455.tif 000013
【図１２】
2016181455.tif 000014
【図１３】
2016181455.tif 000015
【図１４】
2016181455.tif 000016
【図１５】
2016181455.tif 000017
【図１６】
2016181455.tif 000018